(57)【要約】  電気機械式フライホイール装置は、フライホイールマスによってエネルギーを変換するための電動発電機に関連して使用される複数壁格納システムを有する。
2015503897.tif 000002
【特許請求の範囲】
【請求項１】
内側壁を画定する内側エンクロージャおよび外側壁を画定する外側エンクロージャと、
前記内側エンクロージャによって画定される前記内側壁と、前記外側エンクロージャによって画定される前記外側壁との間のシールドと、
エネルギー変換ブロックと、
冷媒を輸送するための第１の環状流路と、
を備え、
前記エネルギー変換ブロックは、
電動発電機ステーターおよびステーターサポートを含むコアアセンブリと、
電動発電機ローター、フライホイールマスおよびハブを含むスピニングアセンブリと、
を有し、
前記電動発電機ローターは前記電動発電機ステーターを包囲し、
前記内側エンクロージャは前記エネルギー変換ブロックを内包し、
前記外側エンクロージャは前記内側エンクロージャを内包し、
前記第１の環状流路の外径は前記外側エンクロージャの壁により仕切られ、
冷媒を輸送するための格納システムの流体回路は、前記第１の環状流路およびステーターサポート流路を含む、電気機械式フライホイール格納システム。
【請求項２】
前記内側エンクロージャの前記内側壁および前記外側エンクロージャの前記外側壁は同軸に配置され、
前記シールドは前記内側エンクロージャの周りに位置する、請求項１に記載の電気機械式フライホイール格納システム。
【請求項３】
前記シールドは前記内側エンクロージャとフィットするインターフェースを形成する、請求項２に記載の電気機械式フライホイール格納システム。
【請求項４】
前記シールドと前記内側エンクロージャとの間のギャップに設けられた熱伝達化合物をさらに備える、請求項２に記載の電気機械式フライホイール格納システム。
【請求項５】
前記シールドの周りに位置する隔壁をさらに備え、
前記隔壁は、前記外側エンクロージャの前記外側壁によって包囲され、
前記第１の環状流路の内径は、前記隔壁によって仕切られている、請求項１から４のいずれか一項に記載の電気機械式フライホイール格納システム。
【請求項６】
前記隔壁および前記シールドによって仕切られた第２の環状流路をさらに備え、
前記冷媒を輸送するための格納システムの流体回路は、前記第２の環状流路を含む、請求項５に記載の電気機械式フライホイール格納システム。
【請求項７】
前記隔壁は円筒形の壁面を有し、前記円筒形の壁面の一端は内側に向いたシールリングを有する、請求項５または６に記載の電気機械式フライホイール格納システム。
【請求項８】
ひとつ以上の冷媒コンジットが前記シールリングを貫通し、冷媒用の流路を与える、請求項７に記載の電気機械式フライホイール格納システム。
【請求項９】
前記電動発電機ステーターは内側エンクロージャからぶら下がっている、請求項１から８のいずれか一項に記載の電気機械式フライホイール格納システム。
【請求項１０】
前記スピニングアセンブリは、電動発電機ローターを含み、回転軸を画定し、
前記ステーターのフィールド巻き線は前記回転軸の周りに位置し、前記ステーターのアーマチュア巻き線は前記回転軸線の周りに位置しない、請求項１から９のいずれか一項に記載の電気機械式フライホイール格納システム。
【請求項１１】
前記内側エンクロージャは真空バリアを与える、請求項１から１０のいずれか一項に記載の電気機械式フライホイール格納システム。
【請求項１２】
前記内側エンクロージャは少なくともひとつの真空ポンプを有する、請求項１１に記載の電気機械式フライホイール格納システム。 
【発明の詳細な説明】
【技術分野】
【０００１】
本願は、“電気機械式フライホイール容器システム”と題する、２０１１年１２月３１日出願の米国仮特許出願第６１／５８２，３３２号の優先権の利益を主張するものである。
【０００２】
本願発明は、電気機械式技術分野に関する。特に、電気機械式フライホイールの排気、安全装置、熱伝達、およびサポート機能を可能とする、複数壁の格納システムに関する。
【０００３】
周知のフライホイールは、運動エネルギーを蓄積する。このエネルギーを解放するよう要求されると、フライホイールは運動エネルギーが減少するに従い遅くなる。フライホイール駆動および電気機械式により駆動されるフライホイールも周知である。数十年の間、この電気機械的装置が作られ、さまざまな動作を達成してきた。しかし、最も進化した商業的装置でさえ、性能がよりよい代替品よりコストが高く、かつ、有意な動作制限にさらされるので、多くの業者はフライホイールの製造を避けてきた。小さいフライホイール製造業者による賢明な努力にも拘わらず、近代の電気機械式フライホイールは、わずかな隙間市場での狭い応用分野で見受けられ、現在の発達した世界的エネルギー供給に対して有意な寄与をしていない。
【背景技術】
【０００４】
周知のフライホイールは、運動エネルギーを蓄積する。このエネルギーを解放するよう要求されると、フライホイールは運動エネルギーが減少するに従い遅くなる。フライホイール駆動および電気機械式により駆動されるフライホイールも周知である。数十年の間、この電気機械的装置が作られ、さまざまな動作を達成してきた。しかし、最も進化した商業的装置でさえ、性能がよりよい代替品よりコストが高く、かつ、有意な動作制限にさらされるので、多くの業者はフライホイールの製造を避けてきた。小さいフライホイール製造業者による賢明な努力にも拘わらず、近代の電気機械式フライホイールは、わずかな隙間市場での狭い応用分野で見受けられ、現在の発達した世界的エネルギー供給に対して有意な寄与をしていない。
【発明の概要】
【発明が解決しようとする課題】
【０００５】
電気機械的フライホイールは、大気圧条件下で動作する装置および真空条件下で動作する装置を含む。真空環境で装置の動作は高速運転において有効であるが、磁気部品の温度、安全な格納容器を管理するための有用な技術によって制限されてきた。
【課題を解決するための手段】
【０００６】
本願発明は、固定ステーターの周りに位置するローター、および、ステーターの回転軸の周りに位置するフィールド巻き線を含むステーター巻き線を有する電気機械式フライホイールを与える。
【０００７】
ひとつの態様において、電気機械式フライホイールは、電動発電機のステーターを有するコアアセンブリと、ステーターを包囲する電動発電機のローターと、ローターの外周に位置し、ローターに結合され、ローターとともに回転するフライホイールマスと、ローターおよびフライホイールマスを包含する排気可能なハウジングとを備え、ステーターは、回転軸を画定し、回転軸の周りに位置するフィールドコイルおよび回転軸の周りに位置しないアーマチュアコイルを有する。ローターは、互いに離隔された第１のサスペンションアセンブリおよび第２のサスペンションアセンブリを有し、第１のサスペンションアセンブリは、ローターをセンタリングし、かつ、上昇させる力を印加する第１の電磁石ベアリングを有し、第２のサスペンションアセンブリは、ローターをセンタリングする力を印加する第２の電磁石ベアリングを有する。
【０００８】
ひとつの態様において、電気機械式フライホイール格納システムは、内側および外側壁をそれぞれ画定する内側および外側エンクロージャと、内側および外側エンクロージャの壁の間のシールドと、エネルギー変換ブロックと、冷媒を輸送するための第１の環状流路とを有し、エネルギー変換ブロックは、電動発電機ステーターおよびステーターサポートを含むコアアセンブリと、電動発電機ローター、フライホイールマスおよびハブを含むスピニングアセンブリとを有し、電動発電機ローターは電動発電機ステーターを包囲し、内側エンクロージャはエネルギー変換ブロックを内包し、外側エンクロージャは内側エンクロージャを内包し、第１の環状流路の外径は外側エンクロージャの壁により仕切られ、冷媒を輸送するための格納システムの流体回路は、第１の環状流路およびステーターサポート流路を含む。
【０００９】
ひとつの態様において、電気機械式フライホイール格納システムは、シールドの周りに位置する隔壁と、隔壁およびシールドによって仕切られた第２の環状流路とをさらに備え、内側および外側エンクロージャの内側および外側壁は同軸に配置され、シールドは内側壁の周りに位置し、隔壁は、外側のエンクロージャの外側壁によって包囲され、第１の環状流路の内径は、隔壁により仕切られており、冷媒を輸送するための格納システムの流体回路は、第２の環状流路を含む。
【００１０】
ひとつの態様において、電気機械式フライホイール格納システムは、内側および外側壁をそれぞれ画定する内側および外側エンクロージャと、内側および外側エンクロージャの壁の間のシールドと、冷媒を輸送するための環状流路と、内側エンクロージャからぶら下がる電動発電機ステーターと、スピニングアセンブリと、ローターを包囲しかつ結合されたフライホイールマスとを備え、環状流路の内径はシールドによって仕切られ、スピニングアセンブリは、電動発電機ローターを含み、回転軸線を画定する電動発電機ステーターの周りに位置し、ステーターのフィールド巻き線は回転軸の周りに位置し、ステーターのアーマチュア巻き線は回転軸線の周りに位置しない。
【００１１】
本願発明は、図面を参照して説明される。しかし、ここで示す図面は例示に過ぎず、当業者であれば、これらの記載から、本願発明を実施することが可能である。
【図面の簡単な説明】
【００１２】
【図１】図１は、本願発明に従う電気機械式フライホイール装置のブロック図を示す。
【図２】図２は、図１の電気機械式フライホイール装置の選択した機能およびイクイップメントを示す。
【図３】図３は、図１の電気機械式フライホイール装置の第１実施形態を示す。
【図４】図４は、図１の電気機械式フライホイール装置の第２実施形態を示す。
【図５Ａ】図５Ａは、図１の電気機械式フライホイール装置のローター極を示す。
【図５Ｂ】図５Ｂは、図１の電気機械式フライホイール装置のローター極およびステーターを示す。
【図６】図６は、図１の電気機械式フライホイール装置の下方ベアリングアセンブリおよびいくつかの関連部品を示す。
【図７】図７は、図１の電気機械式フライホイール装置の上部ベアリングアセンブリおよびいくつかの関連部品を示す。
【図８】図８は、図１の電気機械式フライホイール装置の第３実施形態を示す。
【図９Ａ】図９Ａは、図１の電気機械式フライホイール装置の格納システムを示す。
【図９Ｂ】図９Ｂは、図１の電気機械式フライホイール装置の格納システムを示す。
【図９Ｃ】図９Ｃは、図１の電気機械式フライホイール装置の格納システムを示す。
【発明を実施するための形態】
【００１３】
以下に、本願発明のいくつかの実施形態を説明する。デザイン、図面および説明は本願発明の実施形態の一例に過ぎず、これに限定するものではない。例えば、ここに開示されたもの以外の実施形態は、これらの特徴を含んでも含まなくてもよい。また、開示された利点および利益は、本願発明の特定の実施形態にのみ適用され、開示される発明はそれに限定されない。
【００１４】
図１は、電気機械式フライホイール１００を示す。電気的相互接続１０４は、エネルギー交換ブロック１０２、パワーエレクトロニクスおよびコントロール１０６、および、電力ネットワーク１０８を電気的に接続する。
【００１５】
特に断らない限り、ここで使用する用語“接続”は、Ｂに直接接続されるＡ、Ｄを介してＥに間接的に接続されるＣを指す。
【００１６】
エネルギー交換ブロック１０２は、スピニングアセンブリ１１０およびコアアセンブリ１１２を有する。格納システム１０１は、以下で説明するひとつ以上の格納容器を与える。スピニングアセンブリ１１０は、電動発電機ローター１１４、フライホイールマス１１６、および、ハブ１１８を有する。コアアセンブリ１１２は、電動発電機ステーター１２０および電動発電機ステーターサポート１２２を有する。さまざまな例において、スピニングアセンブリ１１０はシャフトレスである。
【００１７】
電気的相互接続１０４は、任意の電気的導体接続、電気的インターフェース装置、電気的トランスデューサ等を有する。パワーエレクトロニクスおよびコントロール１０６は、任意のシリコンおよび／または半導体装置、および／またはデジタルプロセッサ、およびヒューマンインターフェースを含む関連インターフェースを有する。電力ネットワーク１０８は、１）ある例において、エネルギー交換ブロック１０２への電力源であり、２）ある例において、エネルギー交換ブロック１０２からの電力ユーザであり、３）ある例において、エネルギー交換ブロック１０２への電力源であり、かつ、エネルギー交換ブロック１０２からの電力のユーザである。
【００１８】
図２は、選択された電気機械式フライホイール装置の機能およびイクイップメント２００を示す。エネルギーストレージ２０２はフライホイール動作の中心である。電気機械式フライホイールにおいて、エネルギーストレージ２０２およびエネルギー変換２０４は運動エネルギーを電力に変換する手段、および／または、電力を運動エネルギーに変換するための手段を与える。エネルギー伝達２０６は、エネルギー変換のイクイップメント２２０、２１６と電力ネットワーク１０８との間で電力の伝達をもたらす。さまざまな例において、回路ブレーカー２３０のような電気スイッチは、電力伝達を可能にする導体の接続および切断をもたらす。さまざまな例において、他の電気機械式フライホイール装置の機能は、以下に説明するいくつかの補助サポート機能を有する。
【００１９】
エネルギーストレージ２０２はスピニングアセンブリ１１０を使用する。さまざまな例において、サスペンションシステム２１０はスピニングアセンブリ１１０を支持する。サスペンションイクイップメントは、ベアリングまたはそれと同様の部材２１２を有する。ある例において、受動シャットダウンシステム２１５は、シャットダウンなどの選択された動作再開においてスピニングアセンブリ１１０を支持する。
【００２０】
エネルギー変換２０４は、ジェネレータまたは電動発電機のような運動エネルギーを電力に変換する手段を利用する。電動発電機２２０が示されている。電動発電機２２０は、ローター１１４およびステーター１２０を有し、スピニングアセンブリ１１０を回転駆動するための手段、および、スピニングアセンブリ１１０によって回転駆動される手段を与える。さまざまな例において、パワーエレクトロニクス２１６は、電動発電機２２０および／または電力ネットワーク１０８から放出される電気波形の調整を可能にする。例えば、さまざまな例において、パワーエレクトロニクス２１６は、中間ＤＣバス有するＡＣ−ＡＣコンバータにおいて周波数変換を与える。また、パワーエレクトロニクス２１６はフライホイールのローター１１４を加速するような可変速度駆動機能を提供する。
【００２１】
さまざまな例において、補助サポート機能２０８は以下に詳細に説明する補助サポートイクイップメントにより実行される。補助サポート機能２０８は、ハウジング２４０、安全装置２４２、真空装置２４４、冷却装置２４８、および、マン-マシンインターフェース２４６を有する。
【００２２】
制御機能２０５は、監視、評価、命令および他の電気機械式フライホイール機能の制御の一つ以上を与える。特に、制御機能２０５は、エネルギーストレージ２０２、エネルギー変換２０４、エネルギー伝達２０６、および補助サポート２０８機能のひとつ以上の監視および／または制御を通じて電気機械式フライホイールの動作を可能にする。
【００２３】
図３は、電気機械式フライホイールの第１部分３００を示す。エネルギー交換ブロック３０２は付加的な外側ハウジング３３８により包囲された内側ハウジング３２８に包囲されている。
【００２４】
エネルギー交換ブロック３０２は、スピニングアセンブリ３１０およびコアアセンブリ３２１を有する。スピニングアセンブリ３１０内に含まれるのは、電動発電機ローター３１４、電動発電機ローター３１４に接続され外周を取り囲むフライホイールマス３１６、フライホイールマス３１６に結合されたハブ３１８、および、可動サスペンションエレメント３４４である。いくつかの例において、非磁性スリーブが、とりわけローター３１４を支持するために、ローター３１４とフライホイールマス３１６との間に挿入されている。ローター３１４、フライホイールマス３１６、ハブ３１８および可動サスペンションエレメント３４４は、軸線ｘ−ｘに関して回転対称である。さまざまな例において、ハブ３１８はローター３１４に対して位置３５０に、および、フライホイールマス３１６に対して位置３５２に、それぞれまたは一方に取り付けられている。可動サスペンションエレメント３４４に対向して、内側ハウジング３３２の第１の壁を介して支持された固定サスペンションエレメント３４６がもうけられている。コアアセンブリ３１２には、ステーター３２０およびステーターサポート３２２が含まれる。ある例において、ステーターサポート３２２は内側ハウジング３３４の第２の壁に結合されている。
【００２５】
電動発電機ステーター３２０の外周を包囲するのは、電動発電機ローター３１４である。さまざまな例において、ローター３１４は、磁石部３５４および非磁石部３５６を有する。ある例において、非磁石部３５６は、磁石部３５４をブロックまたは支持するマトリクス材料をする。ある例において、磁気ローター部は、積層構造である。
【００２６】
さまざまな例において、ステーター３２０は、可変電流を流すことができる導電体巻き線を有する一つ以上のコイルを有する磁石構造を含む。それによって、磁気構造体の磁束を変化させることができる。ある例において、第１ステーターコイル３６４は、軸線ｘ−ｘに対してほぼ垂直に交差する軸線ｙ−ｙの周りに形成されている。ある例において、第２ステーターコイル３６８は軸線ｘ−ｘの周りに形成されている。ある例において、複数の第１ステーターコイル３６４が軸線ｙ−ｙの周りに形成され、一つ以上の第２ステーターコイル３６８が軸線ｘ−ｘの周りに形成されている。第１ステーターコイル３６４はアーマチュアコイルであり、第２ステーターコイル３６８はフィールドコイルである。
【００２７】
またある例において、電動発電機３６０は、内部構成（ローターがステーターを包囲する）で示されるような単極装置である。当該単極装置は、ａ）ローター３１４と類似の回転可能ローターが、コイルレスの積層磁石構造を有し、ｂ）ステーター３２０に類似の固定中心ステーターは磁気構造体内部の磁束を形成するためのコイルを有する積層磁気構造体を有し、ｃ）ローターはステーターを包囲している。
【００２８】
図４は、第２の実施形態にかかる電気機械式フライホイール４００を示す。エネルギー変換ブロック４０２は、外側ハウジング（図示せず）によって、全体または一部を包囲された内側ハウジング４２８によって包囲されている。
【００２９】
エネルギー変換ブロック４０２は、スピニングアセンブリ４１０およびコアアセンブリ４１２を有する。スピニングアセンブリ４１０は、電動発電機ローター４１４、ローターを包囲し、かつ、結合されたフライホイールマス４１６、フライホイールマス４１６に接続されたハブ４１８、ハブ４１８を支持するためのサポートピン４９６、および、ハブ４１８を支持するための可動サスペンションアセンブリ４９２を含む。
【００３０】
さまざまな例において、フライホイールマス４１６は、一つ以上の種類またはグレードのガラス繊維および、一つ以上の種類またはグレードの炭素繊維のような異なる材料の層を有する。ここに参考文献として組み込む、“ＨＵＢ  ＣＹＬＩＮＤＥＲ  ＤＥＳＩＧＮ  ＦＯＲ  ＦＬＹＷＨＥＥＬ  ＳＹＳＴＥＭ  ＦＯＲ  ＭＯＢＩＬＥ  ＥＮＥＲＧＹ  ＳＴＯＲＡＧＥ”と題する米国特許第６，１７５，１７２号にはフライホイールマス構造技術および材料が記載されている。
【００３１】
図に示すように、フライホイールマス４１６は、ローターに隣接する内側層４１７のような第１層、中間層４１９、および、外側層４２１を有する。ある例において、中間層４１９および外側層４２１は炭素繊維材料を含み、内側層４１７はガラス繊維を含む。他の例において、三層すべてが実質的に炭素繊維から形成されている。さまざまな例において、一つ以上の層が、テンションがかかった巻き繊維により予め応力がかけられており、固有の圧縮応力によって実質的に円筒形状のシェルを形成する。
【００３２】
サポートピン４９６、可動サスペンションアセンブリ４９２、および、ハブ４１８は同軸上に配置されており、軸線ｘ−ｘに関して回転対称である。サポートピン４９６は上部ベアリングキャリア４９０と下部ベアリングキャリア４９４との間のギャップ４９１の中に配置されている。ステーターサポート４２２から延在するのは、上部ベアリングキャリア４９０である。ハウジング４３２の第１の壁に支持されるのは、下部ベアリングキャリア４９４である。ある例において、上部ベアリングキャリア４９０の軸線ｘ−ｘに沿った長さ４９３は、上部ベアリングキャリア４９０と下部ベアリングキャリア４９４との間でサポートピン４９６を回転可能に保持するように機能する。この意味で、上部および下部ベアリングキャリアはサポートピン４９６を介してスピニングアセンブリ４１０を捕捉する手段を与え、受動シャットダウンを含む機能に対して有用である。さまざまな例において、下部ベアリングキャリア４９４および可動サスペンションアセンブリ４９２は第１の電磁気ベアリングを導入する。
【００３３】
第２の電磁気ベアリング４５１は、上部ベアリングキャリア４９０と下部ベアリングキャリア４９４から離隔されている。第２の電磁気ベアリング４５１は、ステーターサポート４２２によって支持された固定ベアリングステーター４５４、ステーターを磁化するための電気巻き線４５２、ローターに結合された対向位置ローター４５６を有する。図に示すように、電磁石の係合面４９８、４９９は、電磁石ベアリング力が軸線ｘ−ｘに対して垂直となるように、軸線ｘ−ｘに対して平行である。他の例において、上記傾斜した電磁石ベアリング面は、軸線ｘ−ｘに平行な線に沿った成分と、軸線ｘ−ｘに対して垂直な線に沿った成分とを有する電磁気ベアリング力を与える。
【００３４】
コアアセンブリ４１２には、ステーター４２０および、内側ハウジング４２８の第２の壁４３４に結合されたステーターサポート４２２が含まれる。電動発電機ローター４１４は電動発電機ステーターを包囲する。さまざまな例において、ローターは磁石および非磁石部分（例えば、図３の３５４、３５６参照）を有する。ある例において、非磁石部分は磁石部分を支持またはブロックするマトリクス材料を含む。ある例において、磁石ローター部分は積層体構造を有する。
【００３５】
さまざまな例において、ステーター４２０は、可変電流を運ぶことができる導電体巻き線を有する一つ以上の一体型コイルを含む磁石構造を有する。それによって、磁石構造は、磁束を変化させる。
【００３６】
典型的な単極ステーターは、少なくとも２つの周辺リムおよび一つのより小さい中間リムを有する。これらのリムは、鉄のような磁性材料を含む。さまざまな例において、リムはそれぞれが実質的に環状の積層構造体である。
【００３７】
図に示すように、ステーター４２０は、３つの大きい直径のリム４６４、４６６、４７０および２つの小さい直径のリム４８４、４８８を有する。実質的に環状またはドーナツ形状のポケット４８１が大きい直径のリムと小さい直径のリムとの間に形成されている。これらの３つのポケットの中で、軸線ｘ−ｘを回転軸として、それを包囲するようにコイルが配置され、フィールド巻き線４８２、４８６を形成する。フィールドコイルに加え、ステーター４２０はアーマチュアコイル４５０も含む。
【００３８】
アーマチュアコイル４５０は、各アーマチュアコイルが回転軸ｘ−ｘと実質的に垂直の軸線ｙ−ｙを包囲するように、大きいリム４６４、４６６、４７０の周辺においてスロット４８３と嵌合する（図３参照）。
【００３９】
ステーター４２０の各リムに対して、複数のローター磁極が存在する。外側のステーターリム４６４、４７０は軸線方向に離隔したローター磁極４６２、４６８（図中の実線で示す）を有し、中央のステーターリム４６６は軸方向に隣接するローター磁極４６３、４６９（図中の破線で示す）を有する。隣接するリム用のローター磁極（例えば、４６２、４６３）は軸線方向（ｘ−ｘ）に離隔されているだけでなく、ひとつのリム用のローター磁極が隣接するリムと関連する最も近いローター磁極から９０電気角度だけ半径方向に離隔されるように、半径方向においても離隔されている。
【００４０】
さまざまな例において、ターボ分子ポンプのような内部真空ポンプがフライホイールマス４１６から分子を除去するために与えられる。特に、速度が最大となるフライホイールマス周縁から分子を除去する。ここに参考文献として組み込む、米国特許第５，４６２，４０２号の“ＦＬＹＷＨＥＥＬ  ＷＩＴＨ  ＭＯＬＥＣＵＬＡＲ  ＰＵＭＰ”には、ターボ分子ポンプおよびそれを組み込んだフライホイールシステムが記載されている。
【００４１】
ある例において、第１の真空ポンプは、フライホイールマスの面４５９に関して近接して離隔された、ハウジング壁４３４から支持された固定ラビリンス形状リング４５８により形成されている。さまざまな例において、ラビリンスリングの溝は、動くフライホイール面４５９に対して排気作用を与える。ある例において、その溝は流れの方向に沿って概して減少する断面積を有するスパイラル形状である。またある例において、第２の真空ポンプは上記したものに類似のラビリンスリングによって形成される。それは、ステーター周辺部品（大きい直径のステーターリング４５４、４６４、４６６、４７０など）に固定されるか、または、対向位置ローター極（４５６、４６２、４６３、４６９、４６８）に固定される。
【００４２】
ある例において、吸気領域および排気領域は真空可能な内側ハウジング４２８の内部に含まれる。吸気領域の少なくとも一部は、内側ハウジング４２８、ハブ４１８の外側面４１７、および、フライホイールマス４１６の外周面４１３の部分によって画定された境界を有する。排気領域の少なくとも一部は、真空バリアハウジングおよびコアアセンブリ４１２の部分によって画定された境界を有する。第１ドラグポンプは、フライホイールマス４１６の面４５９と真空バリアのハウジング壁４３４との間に設けられる。第２ドラグポンプは少なくともひとつのステーターリング４６６とローター４１４との間に設けられる。
【００４３】
図５Ａは、２＋２極のシングルステージ単極装置５００Ａ用の隣接極平面におけるローター極の半径方向の千鳥配列を示す。ローター断面図５０２およびローター５１４を参照して、第１極４６２は第１極平面Ｙ１に配置され、反対位置の極４６３は同じ平面内に配置されている。同様の時計回りに隣接する極面Ｙ２において、隣接する面の極４６５はＹ１面の極の間にある。この断面図では、Ｙ２面４６４内の第２極は存在しない。
【００４４】
極面Ｙ１、Ｙ２の平面図５０４、５０６は各極面における極４６２、４６３、４６４および４６５を示す。それらは９０°の角度だけ分離されている。この４極実施形態において、極は同様に９０電気角度だけ分離されている。
【００４５】
さまざまな例において、磁路は、隣接する千鳥格子極の間で伸長する。例えば、極アセンブリ５０８、５１０に示すように、磁路４６６、４６８は、極対４６２、４６３と４６３、４６４との間で伸長する。ここに示すように、磁路４６２−４６６−４６５および４６３−４６８−４６４によって、２つの連続磁路が４極装置ローター内に形成される。ある例において、それぞれの磁路アセンブリ４６２−４６６−４６５および４６３−４６８−４６４は、中央部４６６および４６８が他の関連部材４６２、４６５および４６５、４６４とそれぞれ実質的に直角に接続された、“Ｚ”字形状を有する。とりわけ、この構造は磁路の容量を保存する。
【００４６】
図５Ｂは、３ステージ装置用のローターおよびステーターを示す。各ステージは４つの極５００Ｂを有する。ここで、ローター磁路アセンブリ５６０が、通常は円筒形のローター構造がロールしていない、つまり、平坦面として図示されている。磁路アセンブリ５２０、５２２、５２３、５２１は部材５１９の間にスペースを有する格子５６９を作るように配列されている。さまざまな例において、当該スペースは、非磁性体によって充填されてよい。
【００４７】
格子５６９は、複数のステージＡ、Ｂ、Ｃが、それぞれ４つの極を有するように構成されている。例えば、ステージＡは、第１の完全極５５７および、２つの半分極５５３、５５５からなる第２の極を有するＮ極面を有する。ステージＡは、２つの完全極５５９、５６０を有するＳ極面を有する。したがって、ステージＡのＮ極面およびＳ極面は全部で４つの完全な極を有する。
【００４８】
各ステージは４つの磁路アセンブリまたはローター格子部を有する。例えば、ステージＡは磁路アセンブリ５２０、５２２、５２０および５２２を有する。ステージＢは磁路アセンブリ５２３、５２１、５２３、５２１を有する。ステージＣはステージＡと同様に、磁路アセンブリ５２０、５２２、５２０および５２２を有する。さまざまな例において、磁路アセンブリの位置は、その向きによってのみ異なる。例えば、アセンブリ５２０は、アセンブリ５２２と軸線ｘ−ｘと平行な軸線の周りに１８０°回転だけ異なる。アセンブリ５２２は、アセンブリ５２１と軸線ｘ−ｘと垂直な軸線の周りに１８０°回転だけ異なる。
【００４９】
ステーター５６２の断面図が示されている。ステーターは大きな直径のリム５３４、５３６、５３８、５４０、および、小さい直径のリム５４４、５４６、５４８を軸線ｘ−ｘを中心軸として有する。第１および第２の大きい直径の中間リム５３６、５３８は、大きい直径のリム５３４、５４０の外周に間に挿入される。ひとつの小さい直径のリムは、リムが、５３４、５４４、５３６、５４６、５３８、５４８および５４０の順番で積まれるように、大きい直径のリムの各一対の間に挿入される。リムは、壁５３０を介して支持される結合されたステーターサポート５３２によって支持される。
【００５０】
複数のアーマチュア巻き線、例えば、５７１、５７２は、スロットまたはより小さい構造を介して複数の大きい直径のリム外周部５７４と嵌合する。フィールド巻き線５３５、５３７、５３９は、ステーターの回転軸ｘ−ｘを、各フィールド巻き線が一対の大きい直径リムの間にあるように、小さい直径のリムのそれぞれを包囲する一本のフィールド巻き線で包囲する。
【００５１】
ローター５６９の格子構造は、ステーター５３４の第１リムがステージＡのＮ極に対応し、ステーター５３６の第３リムがステージＡのＳ極およびステージＢのＳ極に対応し、ステーターの第４リムがステージＢのＮ極およびステージＣのＮ極に対応し、ステーターの第７リムがステージＣのＳ極に対応するように、配置される。
【００５２】
さまざまな例において、ベアリングがスピニングアセンブリおよびフライホイールマス１１６、３１６、４１６を支持するのに使用される。ここで示すスピニングアセンブリを支持するのに十分なベアリングの任意の組み合わせが、使用可能である。
【００５３】
図６は、下部ベアリングキャリアおよびいくつかの関連部品６００を示す。図面の上半分に示すように、フライホイールマスに結合するためのハブ６１８、ハブ６１８を支持するためのサポートピン６９６、ハブ６１８を支持するための可動サスペンションアセンブリ６９２、および、下部ベアリングキャリア６９４がもうけられている。ハブ６１８、サポートピン６９６、および可動サスペンションアセンブリ６９２は一緒に固定して結合されている（図６では分解図で示す）。
【００５４】
さまざまな例において、可動サスペンションアセンブリ６９２は、可動サスペンションアセンブリ電磁気ベアリングローター６０２を有する。ある例において、ベアリングは可動サスペンションアセンブリ電磁気ベアリング面６０３を有する。当該面は軸線ｘ−ｘに平行なｘ１−ｘ１軸線と当該面とによりなす角度θ１＝０°で方向付けられている。ある例において、ベアリングは、０＜θ１＜９０°（傾斜面）の角度を向いた面６０３を有する。それにより、軸線ｘ−ｘに垂直な軸線に平行な電磁気ベアリング力成分、および、軸線ｘ−ｘに平行な電磁気ベアリング力成分が与えられる。
【００５５】
さまざまな例において、可動サスペンションアセンブリ６９２は、可動サスペンションアセンブリ永久磁石６０４を有する。また、ある例において、永久磁石は電磁気ベアリングローター６０２に付加される。ある例において、可動サスペンションアセンブリ磁石ホルダ６０６は可動サスペンションアセンブリ電磁気ベアリングローターおよび可動サスペンションアセンブリ永久磁石の一方又は両方を保持するためのホルダを与える。
【００５６】
可動サスペンションアセンブリ６９２が電磁気ベアリングローター６０２を有する場合、下部ベアリングローターキャリア６９４は、対応する下部ベアリングキャリア電磁気ベアリングステーター６１４およびステーターを磁化するための下部ベアリングキャリアステーター電磁気コイル６１６を有する。ステーターは、ハウジングの壁６３２によって支持される下部ベアリングキャリアフレーム６１２によって支持される。
【００５７】
ある例において、ベアリングステーターは積層構造である。ある例において、ベアリングは下部ベアリングキャリア電磁石ベアリング面６１５を有する。当該面は、軸線ｘ−ｘに平行なｘ２−ｘ２軸および当該面とのなす角度θ２＝０°で方向付けられる。ある例において、ベアリングは、０＜θ２＜９０°（傾斜面）の角度を向いた面６１５を有する。それによって、軸線ｘ−ｘに垂直な軸線に平行な電磁気ベアリング力成分、および、軸線ｘ−ｘに平行な電磁気ベアリング力成分が与えられる。当業者が理解するように、ベアリング面６０３、６１５は直線のローター面が直線のステーター面と一致し、かつ、傾斜ローター面と傾斜ステーター面とが一致するように、連係する。
【００５８】
可動サスペンションアセンブリ永久磁石６０４が使用される場合、下部ベアリングキャリア６９４は、対向位置の永久磁石６２０を有する。ある例において、下部ベアリングキャリア永久磁石ホルダ６１９は、下部ベアリングキャリアフレーム６１２から支持され、永久磁石６２０を支持する。
【００５９】
さまざまな例において、下部ベアリングキャリア６９４は、減摩ベアリング６２２のような下部ベアリングキャリアランディングベアリングを有する。ランディングベアリングは下部ベアリングキャリアフレーム６１２から支持される。ある例において、ダンピング材料６２４はランディングベアリングに対する着座材を与える。
【００６０】
図７は、上部ベアリングキャリアおよびいくつかの関連部品７００を示す。上部ベアリングキャリア７９０は、固定プレート７０２および可動プレート７０４を有する。
【００６１】
固定プレート７０２は溝形式のコイルスペース７０６を有する。当該溝は可動プレート７３０に面する固定プレート７０２の側にある。コイル７０７により包囲される磁気材料を磁化するための電気コイル７２２が含まれる。
【００６２】
可動プレート７０４はスプリングスペース７０８および機械的ベアリングスペース７１０を有する。スプリングスペース７０８は、可動プレート７０４の減少する直径部が固定プレート７３２に面するプレートの側に延在し、かつ、コイルスプリング７２０のようなスプリングがこのスペースを占めるように形成される。ベアリングスペース７１０は、固定プレート７３２に面する可動プレート面と対向する可動プレート面７３４の中心のキャビティである。この電磁石の動作はスプリングを圧縮しプレートを一緒に引く。
【００６３】
さまざまな例において、上部ベアリングキャリア７９０は、減摩ベアリング７１６のような上部ベアリングキャリアランディングベアリングを有する。ランディングベアリングは可動プレートキャビティ７１０内に配置される。ある例において、ダンピング材料７１８はランディングベアリングに対する着座材を提供する。
【００６４】
図６および図７に示すように、サポートピン６９６は上部ベアリングキャリア７９０および下部ベアリングキャリア６９４との間で伸長する。また、上部ベアリングキャリアランディングベアリング７１６、サポートピン６９６、可動サスペンションアセンブリ６９２、下部電磁石ベアリングステーター６１４、下部ベアリングキャリア永久磁石６２０、および下部ベアリングキャリアランディングベアリング６２２は、可動プレート７０４が下部ベアリングキャリア７９３の方向に移動するとき、サポートピンの上方端７２８および下方端６２８が上部ランディングベアリング７１６および下部ランディングベアリング６２２とそれぞれ係合し、かつ、それぞれのランディングベアリング７２６、６２６の中央アパーチャと係合するように、軸線ｘ−ｘを中心として配置される。
【００６５】
図８は、電気機械式フライホイール８００の他の実施形態を示す。フライホイールマス８３１は、金属ライナー８３０を有する単極電動発電機ローターを包囲しかつ結合されている。ローターは、Ｎ極ローター８２４、８３２を有する。Ｓ極ローターは図示していない。図５ＢのステージＡおよびステージＢを参照して、Ｓ極ローターが同様に配置される。
【００６６】
ステーターサポート８１１は電動発電機ステーター８２８に結合される。フィールド巻き線８２６およびアーマチュア巻き線８２０は上述したのと同様の方法で一体化される。
【００６７】
ローター８３０およびフライホールマス８３１を支持するのは、ハブ８４６である。当該ハブは上部および下部ベアリングキャリア８６０、８６２との間に係合および／または配置されたサポートピン８６４によって支持される。図６および図７に、同様のベアリングキャリアが詳細に示されている。第１電磁気ベアリング８６６は下部ベアリングキャリア内に配置される。第２電磁式ベアリング８７０は第１および第２ベアリングキャリアから離隔されており、ベアリングステーター８１８、ベアリングローターおよびステーターを磁化するためのステーターコイル８１４を有する。
【００６８】
電磁気フライホイールハウジングは内部真空バリア８１２を有する。ある例において、外側ハウジング８０７は真空バリアを支持する。適当な真空バリアの材料として、ステンレススチールおよび当業者に周知の他の材料が含まれる。
【００６９】
さまざまな例において、ステーターサポート８１１は中空構造を有し、同軸チューブ８０１が内部に配置されている。同軸チューブ８０１はステーターサポート８０２に進入する液体冷媒を閉じこめる。サポート構造の内径と同軸チューブ８０１の外径との間の環状部分はステーターサポート８０３を流れる冷媒用の流路を与える。環状部分を通じて流れる冷媒はステーター８２８から熱を吸収し、さまざまな例において、流入口８０２内にポンプによって戻る前にクーラーによって冷却される。
【００７０】
ある例において、熱パイプ８０８はステーターを冷却する。複数の熱パイプの各々は、ステーターに近接した位置にステーターアマーチュア巻き線スロット８７２のような熱吸収第１端を有する。熱パイプの熱放出端は真空バリア８７４に接触するほど真空バリアに近接した位置にあり、または、上述の冷媒流によって冷却される。
【００７１】
上述したように、電気機械式フライホイール１００に対して、冷却システム２４８およびステーターサポート１２２のようなシステムおよび構造は相互に関連して設計される。
【００７２】
格納システム１０１は相関設計の付加的な例を与える。さまざまな格納システムの例において、複数の相関構造は、サポート構造、真空バリア、シールド、冷媒流路、および熱伝達路のひとつ以上を与える。
【００７３】
図９Ａは、多目的格納システム９００Ａの断面分解図を示す。多目的格納システムは、真空バリアを与えるための内側エンクロージャ９０６、シールドを与えるための中間エンクロージャ９０４、および、冷媒流路を与えるための外側エンクロージャ９０２を有する。複数のエンクロージャのこれらおよび他の特徴は以下で詳細に説明する。
【００７４】
内側エンクロージャ９０６は内側シリンダ壁９３６を有する。内蓋９１６はシリンダフランジ９４６を介してシリンダの一端を閉じるように動作する。内底９２６はシリンダの反対端を閉じる。この例において、ステーターサポート９８７は内蓋の中央部からぶら下がっている。内側エンクロージャは、例えば、アルミニウムおよび／またはステンレススチールのような金属の適当な真空シーリング材から形成されている。アルミニウムおよびステンレススチールは、酸化および汚染物質の形成を防止するため、クリーンな真空環境を促進する。さまざまな例において、クリーンな真空環境はドラグポンプを含む真空ポンプの動作を促進し、かつ、適当な真空圧力を維持する。
【００７５】
中間エンクロージャ９０４は内側エンクロージャ９０６を内包する。中間エンクロージャは内側シリンダ壁９３４を有する。内側エンクロージャ９１６の蓋が中間シリンダ９４４の端面と中間蓋との間でシールされるように、中間蓋９１４はシリンダの一端を閉じるように動作する。中間底９２４はシリンダの反対端を閉じる。中間エンクロージャは、例えば、鋼鉄および／または鋼鉄合金のような適当な真空シーリング材から形成されている。適当な材料の厚さは、使用される材料および、選択された設計の破損のシナリオ中に吸収されなければならないエネルギーを考慮して選択される。
【００７６】
内側および中間エンクロージャ９０６、９０４との間のギャップが示されているが、そのギャップにフィットするインターフェースおよび／または伝達化合物を有する。それにより一つの壁から他の壁へ熱伝導が可能になる。例えば、ステーターから放射される熱（例えば、図８の８２８）は内側エンクロージャ９３６の壁に伝達し、ギャップがなければ、中間エンクロージャ９３４の壁に熱伝導する。
【００７７】
外側エンクロージャ９０２は中間エンクロージャ９０４を内包する。外側エンクロージャは外側シリンダ壁９３２を有する。外蓋９１２はシリンダフランジ９４２を介してシリンダの一端を閉じるように動作し、外底９２２は反対端を閉じる。外側エンクロージャは、鋼鉄または鋼鉄合金のような適当な真空シーリング材から形成されている。
【００７８】
分流隔壁９０８は中間壁９３４と外側壁９３２との間の環状路を、内側および外側環状路に分割するための円筒形隔壁９３８を有する。円筒形隔壁の端部は、円筒形隔壁と中間シリンダ壁９３４、内蓋９１６、および／または中間蓋９１４のような隣接構造との間にシーリングを与えるための内側に向いたシールリング９４８を有する。ひとつ以上の冷媒排出コンジット９５８がシールリングを貫通し、内側環状空間９５１と流体的に係合するための手段を与える。隔壁は金属およびプラスチックのような適当な冷媒流路材料から形成される。実施形態において、隔壁は高密度のポリエチレンプラスチックまたは塩化ポリビニルプラスチックのようなプラスチックから形成される。
【００７９】
図９Ｂは、図９Ａの格納システムの断面の略示図である。内側壁９３６は中間壁９３４によって周りを覆われ、中間壁は外側壁９３２によって周りを覆われている。外側壁は隔壁９３８の周りに位置し、隔壁は中間壁９３４の周りに位置する。その結果、中間壁と外側壁との間の環状体が内側環状体９５１および外側環状体９５３に分割される。
【００８０】
図９Ｃは、組み立て後の図９Ａの格納システム９００Ｃを示す。ステーター１２０、ローター１１４、および、フライホイールマスを有するフライホイールの内部は省略してある。フライホール内部については図８を参照せよ。
【００８１】
フライホイールの動作中、熱は内側エンクロージャのフライホイール空間９８１内に解放される。さまざまな例において、この熱は冷媒（矢印で示す）および包囲体９８３の一方または両方に伝達される。冷媒が流路および冷却システムのどこかを通じて移動するに従い、熱は冷媒によって交互に吸収・放出される。
【００８２】
冷媒は、ステーターサポート環状流空間９９２を画定するステーターサポート中央キャビティ９９１内に挿入される冷媒吸入コンジット９８８を通じて格納システム９６０に流入する。流入コンジット９６２からの冷媒流は、環状流空間９６４を流れ、ステーターサポート壁９９３に伝達される熱を吸収する。ステーターサポート環状体９６６からの冷媒流は、外蓋９１２と中間蓋９１４との間の流体プレナム９６８に移送される。プレナム９７０を離れた流れは、外側環状体９５３に移送される。さまざまな例において、冷媒は外側エンクロージャ壁９３２をまたぐ熱伝達を介して包囲体９８３へ熱を放出する。外側環状体９５３からの流れ９７２は内側環状体９７４に移送される。さまざまな例において、冷媒は中間および内側エンクロージャ壁９３４、９３６をまたぐ熱伝達により熱を吸収する。内側環状体９５１からの冷媒の流れ９７６は冷媒排出コンジット９７８に伝達される。
【００８３】
動作中、電気機械式フライホイールのフライホイールマスは充電中に電動発電機により加速される。充電中、エネルギーは電動発電機に伝達される。放電中、フライホイールマスが減速されるに従い、電動発電機は、フライホイールの運動エネルギーを電気エネルギーに変換する。パワーエレクトロニクスは、電動発電機および機械的に結合されたフライホイールマスを回転させるために、ネットワーク電力の変換を与える。パワーエレクトロニクスはまた、電動発電機が生成した電力を、電力が伝送される電力ネットワークで使用するのに適した波形に変換する。
【００８４】
動作中、格納システムはシールドを与える。例えば、図９Ｃに示すように、格納システム９００Ｃは、フライホイールが故障した場合のシールド９０６を与える。さまざまな例において、真空バリアが内側エンクロージャ９０２によって与えられ、フライホイール空間９８１内の真空が維持される。冷媒流空間は外側エンクロージャ９０２により与えられる。冷媒流空間は、流路分割隔壁９０８により、内側および外側環状流路９５１、９５３に分割される。ステーターサポート９８７を流れる冷媒によって吸収される熱、および、内側環状流路内を流れる冷媒によって吸収される熱は、外側エンクロージャ壁９３２を通じて外部環境９８３へおよび流体からファンクーラー（図示せず）などを通じて格納システムの外部へ伝達される熱のいずれかまたは両方を通じて放出される。
【００８５】
本願発明のさまざまな実施形態を説明してきたが、これらは例示に過ぎず、発明を限定するものではない。発明の思想および態様から離れることなく、さまざまな修正および変更が可能であることは当業者の知るところである。本願発明の範囲および態様は、以下の特許請求の範囲の記載およびその均等の範囲において解釈されるべきである。
【先行技術文献】
【特許文献】
【００８６】
【特許文献１】米国特許第６，１７５，１７２号
【特許文献２】米国特許第５，４６２，４０２号
【図１】
2015503897.tif 000003
【図２】
2015503897.tif 000004
【図３】
2015503897.tif 000005
【図４】
2015503897.tif 000006
【図５Ａ】
2015503897.tif 000007
【図５Ｂ】
2015503897.tif 000008
【図６】
2015503897.tif 000009
【図７】
2015503897.tif 000010
【図８】
2015503897.tif 000011
【図９Ａ】
2015503897.tif 000012
【図９Ｂ】
2015503897.tif 000013
【図９Ｃ】
2015503897.tif 000014
【手続補正書】
【提出日】平成26年7月1日(2014.7.1)
【手続補正１】
【補正対象書類名】明細書
【補正対象項目名】全文
【補正方法】変更
【補正の内容】
【発明の詳細な説明】
【技術分野】
【０００１】
本願は、“電気機械式フライホイール容器システム”と題する、２０１１年１２月３１日出願の米国仮特許出願第６１／５８２，３３２号の優先権の利益を主張するものである。
【０００２】
本願発明は、電気機械式技術分野に関する。特に、電気機械式フライホイールの排気、安全装置、熱伝達、およびサポート機能を可能とする、複数壁の格納システムに関する。
【背景技術】
【０００３】
周知のフライホイールは、運動エネルギーを蓄積する。このエネルギーを解放するよう要求されると、フライホイールは運動エネルギーが減少するに従い遅くなる。フライホイール駆動および電気機械式により駆動されるフライホイールも周知である。数十年の間、この電気機械的装置が作られ、さまざまな動作を達成してきた。しかし、最も進化した商業的装置でさえ、性能がよりよい代替品よりコストが高く、かつ、有意な動作制限にさらされるので、多くの業者はフライホイールの製造を避けてきた。小さいフライホイール製造業者による賢明な努力にも拘わらず、近代の電気機械式フライホイールは、わずかな隙間市場での狭い応用分野で見受けられ、現在の発達した世界的エネルギー供給に対して有意な寄与をしていない。
【発明の概要】
【発明が解決しようとする課題】
【０００４】
電気機械的フライホイールは、大気圧条件下で動作する装置および真空条件下で動作する装置を含む。真空環境で装置の動作は高速運転において有効であるが、磁気部品の温度、安全な格納容器を管理するための有用な技術によって制限されてきた。
【課題を解決するための手段】
【０００５】
本願発明は、固定ステーターの周りに位置するローター、および、ステーターの回転軸の周りに位置するフィールド巻き線を含むステーター巻き線を有する電気機械式フライホイールを与える。
【０００６】
ひとつの態様において、電気機械式フライホイールは、電動発電機のステーターを有するコアアセンブリと、ステーターを包囲する電動発電機のローターと、ローターの外周に位置し、ローターに結合され、ローターとともに回転するフライホイールマスと、ローターおよびフライホイールマスを包含する排気可能なハウジングとを備え、ステーターは、回転軸を画定し、回転軸の周りに位置するフィールドコイルおよび回転軸の周りに位置しないアーマチュアコイルを有する。ローターは、互いに離隔された第１のサスペンションアセンブリおよび第２のサスペンションアセンブリを有し、第１のサスペンションアセンブリは、ローターをセンタリングし、かつ、上昇させる力を印加する第１の電磁石ベアリングを有し、第２のサスペンションアセンブリは、ローターをセンタリングする力を印加する第２の電磁石ベアリングを有する。
【０００７】
ひとつの態様において、電気機械式フライホイール格納システムは、内側および外側壁をそれぞれ画定する内側および外側エンクロージャと、内側および外側エンクロージャの壁の間のシールドと、エネルギー変換ブロックと、冷媒を輸送するための第１の環状流路とを有し、エネルギー変換ブロックは、電動発電機ステーターおよびステーターサポートを含むコアアセンブリと、電動発電機ローター、フライホイールマスおよびハブを含むスピニングアセンブリとを有し、電動発電機ローターは電動発電機ステーターを包囲し、内側エンクロージャはエネルギー変換ブロックを内包し、外側エンクロージャは内側エンクロージャを内包し、第１の環状流路の外径は外側エンクロージャの壁により仕切られ、冷媒を輸送するための格納システムの流体回路は、第１の環状流路およびステーターサポート流路を含む。
【０００８】
ひとつの態様において、電気機械式フライホイール格納システムは、シールドの周りに位置する隔壁と、隔壁およびシールドによって仕切られた第２の環状流路とをさらに備え、内側および外側エンクロージャの内側および外側壁は同軸に配置され、シールドは内側壁の周りに位置し、隔壁は、外側のエンクロージャの外側壁によって包囲され、第１の環状流路の内径は、隔壁により仕切られており、冷媒を輸送するための格納システムの流体回路は、第２の環状流路を含む。
【０００９】
ひとつの態様において、電気機械式フライホイール格納システムは、内側および外側壁をそれぞれ画定する内側および外側エンクロージャと、内側および外側エンクロージャの壁の間のシールドと、冷媒を輸送するための環状流路と、内側エンクロージャからぶら下がる電動発電機ステーターと、スピニングアセンブリと、ローターを包囲しかつ結合されたフライホイールマスとを備え、環状流路の内径はシールドによって仕切られ、スピニングアセンブリは、電動発電機ローターを含み、回転軸線を画定する電動発電機ステーターの周りに位置し、ステーターのフィールド巻き線は回転軸の周りに位置し、ステーターのアーマチュア巻き線は回転軸線の周りに位置しない。
【００１０】
本願発明は、図面を参照して説明される。しかし、ここで示す図面は例示に過ぎず、当業者であれば、これらの記載から、本願発明を実施することが可能である。
【図面の簡単な説明】
【００１１】
【図１】図１は、本願発明に従う電気機械式フライホイール装置のブロック図を示す。
【図２】図２は、図１の電気機械式フライホイール装置の選択した機能およびイクイップメントを示す。
【図３】図３は、図１の電気機械式フライホイール装置の第１実施形態を示す。
【図４】図４は、図１の電気機械式フライホイール装置の第２実施形態を示す。
【図５Ａ】図５Ａは、図１の電気機械式フライホイール装置のローター極を示す。
【図５Ｂ】図５Ｂは、図１の電気機械式フライホイール装置のローター極およびステーターを示す。
【図６】図６は、図１の電気機械式フライホイール装置の下方ベアリングアセンブリおよびいくつかの関連部品を示す。
【図７】図７は、図１の電気機械式フライホイール装置の上部ベアリングアセンブリおよびいくつかの関連部品を示す。
【図８】図８は、図１の電気機械式フライホイール装置の第３実施形態を示す。
【図９Ａ】図９Ａは、図１の電気機械式フライホイール装置の格納システムを示す。
【図９Ｂ】図９Ｂは、図１の電気機械式フライホイール装置の格納システムを示す。
【図９Ｃ】図９Ｃは、図１の電気機械式フライホイール装置の格納システムを示す。
【発明を実施するための形態】
【００１２】
以下に、本願発明のいくつかの実施形態を説明する。デザイン、図面および説明は本願発明の実施形態の一例に過ぎず、これに限定するものではない。例えば、ここに開示されたもの以外の実施形態は、これらの特徴を含んでも含まなくてもよい。また、開示された利点および利益は、本願発明の特定の実施形態にのみ適用され、開示される発明はそれに限定されない。
【００１３】
図１は、電気機械式フライホイール１００を示す。電気的相互接続１０４は、エネルギー交換ブロック１０２、パワーエレクトロニクスおよびコントロール１０６、および、電力ネットワーク１０８を電気的に接続する。
【００１４】
特に断らない限り、ここで使用する用語“接続”は、Ｂに直接接続されるＡ、Ｄを介してＥに間接的に接続されるＣを指す。
【００１５】
エネルギー交換ブロック１０２は、スピニングアセンブリ１１０およびコアアセンブリ１１２を有する。格納システム１０１は、以下で説明するひとつ以上の格納容器を与える。スピニングアセンブリ１１０は、電動発電機ローター１１４、フライホイールマス１１６、および、ハブ１１８を有する。コアアセンブリ１１２は、電動発電機ステーター１２０および電動発電機ステーターサポート１２２を有する。さまざまな例において、スピニングアセンブリ１１０はシャフトレスである。
【００１６】
電気的相互接続１０４は、任意の電気的導体接続、電気的インターフェース装置、電気的トランスデューサ等を有する。パワーエレクトロニクスおよびコントロール１０６は、任意のシリコンおよび／または半導体装置、および／またはデジタルプロセッサ、およびヒューマンインターフェースを含む関連インターフェースを有する。電力ネットワーク１０８は、１）ある例において、エネルギー交換ブロック１０２への電力源であり、２）ある例において、エネルギー交換ブロック１０２からの電力ユーザであり、３）ある例において、エネルギー交換ブロック１０２への電力源であり、かつ、エネルギー交換ブロック１０２からの電力のユーザである。
【００１７】
図２は、選択された電気機械式フライホイール装置の機能およびイクイップメント２００を示す。エネルギーストレージ２０２はフライホイール動作の中心である。電気機械式フライホイールにおいて、エネルギーストレージ２０２およびエネルギー変換２０４は運動エネルギーを電力に変換する手段、および／または、電力を運動エネルギーに変換するための手段を与える。エネルギー伝達２０６は、エネルギー変換のイクイップメント２２０、２１６と電力ネットワーク１０８との間で電力の伝達をもたらす。さまざまな例において、回路ブレーカー２３０のような電気スイッチは、電力伝達を可能にする導体の接続および切断をもたらす。さまざまな例において、他の電気機械式フライホイール装置の機能は、以下に説明するいくつかの補助サポート機能を有する。
【００１８】
エネルギーストレージ２０２はスピニングアセンブリ１１０を使用する。さまざまな例において、サスペンションシステム２１０はスピニングアセンブリ１１０を支持する。サスペンションイクイップメントは、ベアリングまたはそれと同様の部材２１２を有する。ある例において、受動シャットダウンシステム２１５は、シャットダウンなどの選択された動作再開においてスピニングアセンブリ１１０を支持する。
【００１９】
エネルギー変換２０４は、ジェネレータまたは電動発電機のような運動エネルギーを電力に変換する手段を利用する。電動発電機２２０が示されている。電動発電機２２０は、ローター１１４およびステーター１２０を有し、スピニングアセンブリ１１０を回転駆動するための手段、および、スピニングアセンブリ１１０によって回転駆動される手段を与える。さまざまな例において、パワーエレクトロニクス２１６は、電動発電機２２０および／または電力ネットワーク１０８から放出される電気波形の調整を可能にする。例えば、さまざまな例において、パワーエレクトロニクス２１６は、中間ＤＣバス有するＡＣ−ＡＣコンバータにおいて周波数変換を与える。また、パワーエレクトロニクス２１６はフライホイールのローター１１４を加速するような可変速度駆動機能を提供する。
【００２０】
さまざまな例において、補助サポート機能２０８は以下に詳細に説明する補助サポートイクイップメントにより実行される。補助サポート機能２０８は、ハウジング２４０、安全装置２４２、真空装置２４４、冷却装置２４８、および、マン-マシンインターフェース２４６を有する。
【００２１】
制御機能２０５は、監視、評価、命令および他の電気機械式フライホイール機能の制御の一つ以上を与える。特に、制御機能２０５は、エネルギーストレージ２０２、エネルギー変換２０４、エネルギー伝達２０６、および補助サポート２０８機能のひとつ以上の監視および／または制御を通じて電気機械式フライホイールの動作を可能にする。
【００２２】
図３は、電気機械式フライホイールの第１部分３００を示す。エネルギー交換ブロック３０２は付加的な外側ハウジング３３８により包囲された内側ハウジング３２８に包囲されている。
【００２３】
エネルギー交換ブロック３０２は、スピニングアセンブリ３１０およびコアアセンブリ３２１を有する。スピニングアセンブリ３１０内に含まれるのは、電動発電機ローター３１４、電動発電機ローター３１４に接続され外周を取り囲むフライホイールマス３１６、フライホイールマス３１６に結合されたハブ３１８、および、可動サスペンションエレメント３４４である。いくつかの例において、非磁性スリーブが、とりわけローター３１４を支持するために、ローター３１４とフライホイールマス３１６との間に挿入されている。ローター３１４、フライホイールマス３１６、ハブ３１８および可動サスペンションエレメント３４４は、軸線ｘ−ｘに関して回転対称である。さまざまな例において、ハブ３１８はローター３１４に対して位置３５０に、および、フライホイールマス３１６に対して位置３５２に、それぞれまたは一方に取り付けられている。可動サスペンションエレメント３４４に対向して、内側ハウジング３３２の第１の壁を介して支持された固定サスペンションエレメント３４６がもうけられている。コアアセンブリ３１２には、ステーター３２０およびステーターサポート３２２が含まれる。ある例において、ステーターサポート３２２は内側ハウジング３３４の第２の壁に結合されている。
【００２４】
電動発電機ステーター３２０の外周を包囲するのは、電動発電機ローター３１４である。さまざまな例において、ローター３１４は、磁石部３５４および非磁石部３５６を有する。ある例において、非磁石部３５６は、磁石部３５４をブロックまたは支持するマトリクス材料をする。ある例において、磁気ローター部は、積層構造である。
【００２５】
さまざまな例において、ステーター３２０は、可変電流を流すことができる導電体巻き線を有する一つ以上のコイルを有する磁石構造を含む。それによって、磁気構造体の磁束を変化させることができる。ある例において、第１ステーターコイル３６４は、軸線ｘ−ｘに対してほぼ垂直に交差する軸線ｙ−ｙの周りに形成されている。ある例において、第２ステーターコイル３６８は軸線ｘ−ｘの周りに形成されている。ある例において、複数の第１ステーターコイル３６４が軸線ｙ−ｙの周りに形成され、一つ以上の第２ステーターコイル３６８が軸線ｘ−ｘの周りに形成されている。第１ステーターコイル３６４はアーマチュアコイルであり、第２ステーターコイル３６８はフィールドコイルである。
【００２６】
またある例において、電動発電機３６０は、内部構成（ローターがステーターを包囲する）で示されるような単極装置である。当該単極装置は、ａ）ローター３１４と類似の回転可能ローターが、コイルレスの積層磁石構造を有し、ｂ）ステーター３２０に類似の固定中心ステーターは磁気構造体内部の磁束を形成するためのコイルを有する積層磁気構造体を有し、ｃ）ローターはステーターを包囲している。
【００２７】
図４は、第２の実施形態にかかる電気機械式フライホイール４００を示す。エネルギー変換ブロック４０２は、外側ハウジング（図示せず）によって、全体または一部を包囲された内側ハウジング４２８によって包囲されている。
【００２８】
エネルギー変換ブロック４０２は、スピニングアセンブリ４１０およびコアアセンブリ４１２を有する。スピニングアセンブリ４１０は、電動発電機ローター４１４、ローターを包囲し、かつ、結合されたフライホイールマス４１６、フライホイールマス４１６に接続されたハブ４１８、ハブ４１８を支持するためのサポートピン４９６、および、ハブ４１８を支持するための可動サスペンションアセンブリ４９２を含む。
【００２９】
さまざまな例において、フライホイールマス４１６は、一つ以上の種類またはグレードのガラス繊維および、一つ以上の種類またはグレードの炭素繊維のような異なる材料の層を有する。ここに参考文献として組み込む、“ＨＵＢ  ＣＹＬＩＮＤＥＲ  ＤＥＳＩＧＮ  ＦＯＲ  ＦＬＹＷＨＥＥＬ  ＳＹＳＴＥＭ  ＦＯＲ  ＭＯＢＩＬＥ  ＥＮＥＲＧＹ  ＳＴＯＲＡＧＥ”と題する米国特許第６，１７５，１７２号にはフライホイールマス構造技術および材料が記載されている。
【００３０】
図に示すように、フライホイールマス４１６は、ローターに隣接する内側層４１７のような第１層、中間層４１９、および、外側層４２１を有する。ある例において、中間層４１９および外側層４２１は炭素繊維材料を含み、内側層４１７はガラス繊維を含む。他の例において、三層すべてが実質的に炭素繊維から形成されている。さまざまな例において、一つ以上の層が、テンションがかかった巻き繊維により予め応力がかけられており、固有の圧縮応力によって実質的に円筒形状のシェルを形成する。
【００３１】
サポートピン４９６、可動サスペンションアセンブリ４９２、および、ハブ４１８は同軸上に配置されており、軸線ｘ−ｘに関して回転対称である。サポートピン４９６は上部ベアリングキャリア４９０と下部ベアリングキャリア４９４との間のギャップ４９１の中に配置されている。ステーターサポート４２２から延在するのは、上部ベアリングキャリア４９０である。ハウジング４３２の第１の壁に支持されるのは、下部ベアリングキャリア４９４である。ある例において、上部ベアリングキャリア４９０の軸線ｘ−ｘに沿った長さ４９３は、上部ベアリングキャリア４９０と下部ベアリングキャリア４９４との間でサポートピン４９６を回転可能に保持するように機能する。この意味で、上部および下部ベアリングキャリアはサポートピン４９６を介してスピニングアセンブリ４１０を捕捉する手段を与え、受動シャットダウンを含む機能に対して有用である。さまざまな例において、下部ベアリングキャリア４９４および可動サスペンションアセンブリ４９２は第１の電磁気ベアリングを導入する。
【００３２】
第２の電磁気ベアリング４５１は、上部ベアリングキャリア４９０と下部ベアリングキャリア４９４から離隔されている。第２の電磁気ベアリング４５１は、ステーターサポート４２２によって支持された固定ベアリングステーター４５４、ステーターを磁化するための電気巻き線４５２、ローターに結合された対向位置ローター４５６を有する。図に示すように、電磁石の係合面４９８、４９９は、電磁石ベアリング力が軸線ｘ−ｘに対して垂直となるように、軸線ｘ−ｘに対して平行である。他の例において、上記傾斜した電磁石ベアリング面は、軸線ｘ−ｘに平行な線に沿った成分と、軸線ｘ−ｘに対して垂直な線に沿った成分とを有する電磁気ベアリング力を与える。
【００３３】
コアアセンブリ４１２には、ステーター４２０および、内側ハウジング４２８の第２の壁４３４に結合されたステーターサポート４２２が含まれる。電動発電機ローター４１４は電動発電機ステーターを包囲する。さまざまな例において、ローターは磁石および非磁石部分（例えば、図３の３５４、３５６参照）を有する。ある例において、非磁石部分は磁石部分を支持またはブロックするマトリクス材料を含む。ある例において、磁石ローター部分は積層体構造を有する。
【００３４】
さまざまな例において、ステーター４２０は、可変電流を運ぶことができる導電体巻き線を有する一つ以上の一体型コイルを含む磁石構造を有する。それによって、磁石構造は、磁束を変化させる。
【００３５】
典型的な単極ステーターは、少なくとも２つの周辺リムおよび一つのより小さい中間リムを有する。これらのリムは、鉄のような磁性材料を含む。さまざまな例において、リムはそれぞれが実質的に環状の積層構造体である。
【００３６】
図に示すように、ステーター４２０は、３つの大きい直径のリム４６４、４６６、４７０および２つの小さい直径のリム４８４、４８８を有する。実質的に環状またはドーナツ形状のポケット４８１が大きい直径のリムと小さい直径のリムとの間に形成されている。これらの３つのポケットの中で、軸線ｘ−ｘを回転軸として、それを包囲するようにコイルが配置され、フィールド巻き線４８２、４８６を形成する。フィールドコイルに加え、ステーター４２０はアーマチュアコイル４５０も含む。
【００３７】
アーマチュアコイル４５０は、各アーマチュアコイルが回転軸ｘ−ｘと実質的に垂直の軸線ｙ−ｙを包囲するように、大きいリム４６４、４６６、４７０の周辺においてスロット４８３と嵌合する（図３参照）。
【００３８】
ステーター４２０の各リムに対して、複数のローター磁極が存在する。外側のステーターリム４６４、４７０は軸線方向に離隔したローター磁極４６２、４６８（図中の実線で示す）を有し、中央のステーターリム４６６は軸方向に隣接するローター磁極４６３、４６９（図中の破線で示す）を有する。隣接するリム用のローター磁極（例えば、４６２、４６３）は軸線方向（ｘ−ｘ）に離隔されているだけでなく、ひとつのリム用のローター磁極が隣接するリムと関連する最も近いローター磁極から９０電気角度だけ半径方向に離隔されるように、半径方向においても離隔されている。
【００３９】
さまざまな例において、ターボ分子ポンプのような内部真空ポンプがフライホイールマス４１６から分子を除去するために与えられる。特に、速度が最大となるフライホイールマス周縁から分子を除去する。ここに参考文献として組み込む、米国特許第５，４６２，４０２号の“ＦＬＹＷＨＥＥＬ  ＷＩＴＨ  ＭＯＬＥＣＵＬＡＲ  ＰＵＭＰ”には、ターボ分子ポンプおよびそれを組み込んだフライホイールシステムが記載されている。
【００４０】
ある例において、第１の真空ポンプは、フライホイールマスの面４５９に関して近接して離隔された、ハウジング壁４３４から支持された固定ラビリンス形状リング４５８により形成されている。さまざまな例において、ラビリンスリングの溝は、動くフライホイール面４５９に対して排気作用を与える。ある例において、その溝は流れの方向に沿って概して減少する断面積を有するスパイラル形状である。またある例において、第２の真空ポンプは上記したものに類似のラビリンスリングによって形成される。それは、ステーター周辺部品（大きい直径のステーターリング４５４、４６４、４６６、４７０など）に固定されるか、または、対向位置ローター極（４５６、４６２、４６３、４６９、４６８）に固定される。
【００４１】
ある例において、吸気領域および排気領域は真空可能な内側ハウジング４２８の内部に含まれる。吸気領域の少なくとも一部は、内側ハウジング４２８、ハブ４１８の外側面４１７、および、フライホイールマス４１６の外周面４１３の部分によって画定された境界を有する。排気領域の少なくとも一部は、真空バリアハウジングおよびコアアセンブリ４１２の部分によって画定された境界を有する。第１ドラグポンプは、フライホイールマス４１６の面４５９と真空バリアのハウジング壁４３４との間に設けられる。第２ドラグポンプは少なくともひとつのステーターリング４６６とローター４１４との間に設けられる。
【００４２】
図５Ａは、２＋２極のシングルステージ単極装置５００Ａ用の隣接極平面におけるローター極の半径方向の千鳥配列を示す。ローター断面図５０２およびローター５１４を参照して、第１極４６２は第１極平面Ｙ１に配置され、反対位置の極４６３は同じ平面内に配置されている。同様の時計回りに隣接する極面Ｙ２において、隣接する面の極４６５はＹ１面の極の間にある。この断面図では、Ｙ２面４６４内の第２極は存在しない。
【００４３】
極面Ｙ１、Ｙ２の平面図５０４、５０６は各極面における極４６２、４６３、４６４および４６５を示す。それらは９０°の角度だけ分離されている。この４極実施形態において、極は同様に９０電気角度だけ分離されている。
【００４４】
さまざまな例において、磁路は、隣接する千鳥格子極の間で伸長する。例えば、極アセンブリ５０８、５１０に示すように、磁路４６６、４６８は、極対４６２、４６３と４６３、４６４との間で伸長する。ここに示すように、磁路４６２−４６６−４６５および４６３−４６８−４６４によって、２つの連続磁路が４極装置ローター内に形成される。ある例において、それぞれの磁路アセンブリ４６２−４６６−４６５および４６３−４６８−４６４は、中央部４６６および４６８が他の関連部材４６２、４６５および４６５、４６４とそれぞれ実質的に直角に接続された、“Ｚ”字形状を有する。とりわけ、この構造は磁路の容量を保存する。
【００４５】
図５Ｂは、３ステージ装置用のローターおよびステーターを示す。各ステージは４つの極５００Ｂを有する。ここで、ローター磁路アセンブリ５６０が、通常は円筒形のローター構造がロールしていない、つまり、平坦面として図示されている。磁路アセンブリ５２０、５２２、５２３、５２１は部材５１９の間にスペースを有する格子５６９を作るように配列されている。さまざまな例において、当該スペースは、非磁性体によって充填されてよい。
【００４６】
格子５６９は、複数のステージＡ、Ｂ、Ｃが、それぞれ４つの極を有するように構成されている。例えば、ステージＡは、第１の完全極５５７および、２つの半分極５５３、５５５からなる第２の極を有するＮ極面を有する。ステージＡは、２つの完全極５５９、５６０を有するＳ極面を有する。したがって、ステージＡのＮ極面およびＳ極面は全部で４つの完全な極を有する。
【００４７】
各ステージは４つの磁路アセンブリまたはローター格子部を有する。例えば、ステージＡは磁路アセンブリ５２０、５２２、５２０および５２２を有する。ステージＢは磁路アセンブリ５２３、５２１、５２３、５２１を有する。ステージＣはステージＡと同様に、磁路アセンブリ５２０、５２２、５２０および５２２を有する。さまざまな例において、磁路アセンブリの位置は、その向きによってのみ異なる。例えば、アセンブリ５２０は、アセンブリ５２２と軸線ｘ−ｘと平行な軸線の周りに１８０°回転だけ異なる。アセンブリ５２２は、アセンブリ５２１と軸線ｘ−ｘと垂直な軸線の周りに１８０°回転だけ異なる。
【００４８】
ステーター５６２の断面図が示されている。ステーターは大きな直径のリム５３４、５３６、５３８、５４０、および、小さい直径のリム５４４、５４６、５４８を軸線ｘ−ｘを中心軸として有する。第１および第２の大きい直径の中間リム５３６、５３８は、大きい直径のリム５３４、５４０の外周に間に挿入される。ひとつの小さい直径のリムは、リムが、５３４、５４４、５３６、５４６、５３８、５４８および５４０の順番で積まれるように、大きい直径のリムの各一対の間に挿入される。リムは、壁５３０を介して支持される結合されたステーターサポート５３２によって支持される。
【００４９】
複数のアーマチュア巻き線、例えば、５７１、５７２は、スロットまたはより小さい構造を介して複数の大きい直径のリム外周部５７４と嵌合する。フィールド巻き線５３５、５３７、５３９は、ステーターの回転軸ｘ−ｘを、各フィールド巻き線が一対の大きい直径リムの間にあるように、小さい直径のリムのそれぞれを包囲する一本のフィールド巻き線で包囲する。
【００５０】
ローター５６９の格子構造は、ステーター５３４の第１リムがステージＡのＮ極に対応し、ステーター５３６の第３リムがステージＡのＳ極およびステージＢのＳ極に対応し、ステーターの第４リムがステージＢのＮ極およびステージＣのＮ極に対応し、ステーターの第７リムがステージＣのＳ極に対応するように、配置される。
【００５１】
さまざまな例において、ベアリングがスピニングアセンブリおよびフライホイールマス１１６、３１６、４１６を支持するのに使用される。ここで示すスピニングアセンブリを支持するのに十分なベアリングの任意の組み合わせが、使用可能である。
【００５２】
図６は、下部ベアリングキャリアおよびいくつかの関連部品６００を示す。図面の上半分に示すように、フライホイールマスに結合するためのハブ６１８、ハブ６１８を支持するためのサポートピン６９６、ハブ６１８を支持するための可動サスペンションアセンブリ６９２、および、下部ベアリングキャリア６９４がもうけられている。ハブ６１８、サポートピン６９６、および可動サスペンションアセンブリ６９２は一緒に固定して結合されている（図６では分解図で示す）。
【００５３】
さまざまな例において、可動サスペンションアセンブリ６９２は、可動サスペンションアセンブリ電磁気ベアリングローター６０２を有する。ある例において、ベアリングは可動サスペンションアセンブリ電磁気ベアリング面６０３を有する。当該面は軸線ｘ−ｘに平行なｘ１−ｘ１軸線と当該面とによりなす角度θ１＝０°で方向付けられている。ある例において、ベアリングは、０＜θ１＜９０°（傾斜面）の角度を向いた面６０３を有する。それにより、軸線ｘ−ｘに垂直な軸線に平行な電磁気ベアリング力成分、および、軸線ｘ−ｘに平行な電磁気ベアリング力成分が与えられる。
【００５４】
さまざまな例において、可動サスペンションアセンブリ６９２は、可動サスペンションアセンブリ永久磁石６０４を有する。また、ある例において、永久磁石は電磁気ベアリングローター６０２に付加される。ある例において、可動サスペンションアセンブリ磁石ホルダ６０６は可動サスペンションアセンブリ電磁気ベアリングローターおよび可動サスペンションアセンブリ永久磁石の一方又は両方を保持するためのホルダを与える。
【００５５】
可動サスペンションアセンブリ６９２が電磁気ベアリングローター６０２を有する場合、下部ベアリングローターキャリア６９４は、対応する下部ベアリングキャリア電磁気ベアリングステーター６１４およびステーターを磁化するための下部ベアリングキャリアステーター電磁気コイル６１６を有する。ステーターは、ハウジングの壁６３２によって支持される下部ベアリングキャリアフレーム６１２によって支持される。
【００５６】
ある例において、ベアリングステーターは積層構造である。ある例において、ベアリングは下部ベアリングキャリア電磁石ベアリング面６１５を有する。当該面は、軸線ｘ−ｘに平行なｘ２−ｘ２軸および当該面とのなす角度θ２＝０°で方向付けられる。ある例において、ベアリングは、０＜θ２＜９０°（傾斜面）の角度を向いた面６１５を有する。それによって、軸線ｘ−ｘに垂直な軸線に平行な電磁気ベアリング力成分、および、軸線ｘ−ｘに平行な電磁気ベアリング力成分が与えられる。当業者が理解するように、ベアリング面６０３、６１５は直線のローター面が直線のステーター面と一致し、かつ、傾斜ローター面と傾斜ステーター面とが一致するように、連係する。
【００５７】
可動サスペンションアセンブリ永久磁石６０４が使用される場合、下部ベアリングキャリア６９４は、対向位置の永久磁石６２０を有する。ある例において、下部ベアリングキャリア永久磁石ホルダ６１９は、下部ベアリングキャリアフレーム６１２から支持され、永久磁石６２０を支持する。
【００５８】
さまざまな例において、下部ベアリングキャリア６９４は、減摩ベアリング６２２のような下部ベアリングキャリアランディングベアリングを有する。ランディングベアリングは下部ベアリングキャリアフレーム６１２から支持される。ある例において、ダンピング材料６２４はランディングベアリングに対する着座材を与える。
【００５９】
図７は、上部ベアリングキャリアおよびいくつかの関連部品７００を示す。上部ベアリングキャリア７９０は、固定プレート７０２および可動プレート７０４を有する。
【００６０】
固定プレート７０２は溝形式のコイルスペース７０６を有する。当該溝は可動プレート７３０に面する固定プレート７０２の側にある。コイル７０７により包囲される磁気材料を磁化するための電気コイル７２２が含まれる。
【００６１】
可動プレート７０４はスプリングスペース７０８および機械的ベアリングスペース７１０を有する。スプリングスペース７０８は、可動プレート７０４の減少する直径部が固定プレート７３２に面するプレートの側に延在し、かつ、コイルスプリング７２０のようなスプリングがこのスペースを占めるように形成される。ベアリングスペース７１０は、固定プレート７３２に面する可動プレート面と対向する可動プレート面７３４の中心のキャビティである。この電磁石の動作はスプリングを圧縮しプレートを一緒に引く。
【００６２】
さまざまな例において、上部ベアリングキャリア７９０は、減摩ベアリング７１６のような上部ベアリングキャリアランディングベアリングを有する。ランディングベアリングは可動プレートキャビティ７１０内に配置される。ある例において、ダンピング材料７１８はランディングベアリングに対する着座材を提供する。
【００６３】
図６および図７に示すように、サポートピン６９６は上部ベアリングキャリア７９０および下部ベアリングキャリア６９４との間で伸長する。また、上部ベアリングキャリアランディングベアリング７１６、サポートピン６９６、可動サスペンションアセンブリ６９２、下部電磁石ベアリングステーター６１４、下部ベアリングキャリア永久磁石６２０、および下部ベアリングキャリアランディングベアリング６２２は、可動プレート７０４が下部ベアリングキャリア７９３の方向に移動するとき、サポートピンの上方端７２８および下方端６２８が上部ランディングベアリング７１６および下部ランディングベアリング６２２とそれぞれ係合し、かつ、それぞれのランディングベアリング７２６、６２６の中央アパーチャと係合するように、軸線ｘ−ｘを中心として配置される。
【００６４】
図８は、電気機械式フライホイール８００の他の実施形態を示す。フライホイールマス８３１は、金属ライナー８３０を有する単極電動発電機ローターを包囲しかつ結合されている。ローターは、Ｎ極ローター８２４、８３２を有する。Ｓ極ローターは図示していない。図５ＢのステージＡおよびステージＢを参照して、Ｓ極ローターが同様に配置される。
【００６５】
ステーターサポート８１１は電動発電機ステーター８２８に結合される。フィールド巻き線８２６およびアーマチュア巻き線８２０は上述したのと同様の方法で一体化される。
【００６６】
ローター８３０およびフライホールマス８３１を支持するのは、ハブ８４６である。当該ハブは上部および下部ベアリングキャリア８６０、８６２との間に係合および／または配置されたサポートピン８６４によって支持される。図６および図７に、同様のベアリングキャリアが詳細に示されている。第１電磁気ベアリング８６６は下部ベアリングキャリア内に配置される。第２電磁式ベアリング８７０は第１および第２ベアリングキャリアから離隔されており、ベアリングステーター８１８、ベアリングローターおよびステーターを磁化するためのステーターコイル８１４を有する。
【００６７】
電磁気フライホイールハウジングは内部真空バリア８１２を有する。ある例において、外側ハウジング８０７は真空バリアを支持する。適当な真空バリアの材料として、ステンレススチールおよび当業者に周知の他の材料が含まれる。
【００６８】
さまざまな例において、ステーターサポート８１１は中空構造を有し、同軸チューブ８０１が内部に配置されている。同軸チューブ８０１はステーターサポート８０２に進入する液体冷媒を閉じこめる。サポート構造の内径と同軸チューブ８０１の外径との間の環状部分はステーターサポート８０３を流れる冷媒用の流路を与える。環状部分を通じて流れる冷媒はステーター８２８から熱を吸収し、さまざまな例において、流入口８０２内にポンプによって戻る前にクーラーによって冷却される。
【００６９】
ある例において、熱パイプ８０８はステーターを冷却する。複数の熱パイプの各々は、ステーターに近接した位置にステーターアマーチュア巻き線スロット８７２のような熱吸収第１端を有する。熱パイプの熱放出端は真空バリア８７４に接触するほど真空バリアに近接した位置にあり、または、上述の冷媒流によって冷却される。
【００７０】
上述したように、電気機械式フライホイール１００に対して、冷却システム２４８およびステーターサポート１２２のようなシステムおよび構造は相互に関連して設計される。
【００７１】
格納システム１０１は相関設計の付加的な例を与える。さまざまな格納システムの例において、複数の相関構造は、サポート構造、真空バリア、シールド、冷媒流路、および熱伝達路のひとつ以上を与える。
【００７２】
図９Ａは、多目的格納システム９００Ａの断面分解図を示す。多目的格納システムは、真空バリアを与えるための内側エンクロージャ９０６、シールドを与えるための中間エンクロージャ９０４、および、冷媒流路を与えるための外側エンクロージャ９０２を有する。複数のエンクロージャのこれらおよび他の特徴は以下で詳細に説明する。
【００７３】
内側エンクロージャ９０６は内側シリンダ壁９３６を有する。内蓋９１６はシリンダフランジ９４６を介してシリンダの一端を閉じるように動作する。内底９２６はシリンダの反対端を閉じる。この例において、ステーターサポート９８７は内蓋の中央部からぶら下がっている。内側エンクロージャは、例えば、アルミニウムおよび／またはステンレススチールのような金属の適当な真空シーリング材から形成されている。アルミニウムおよびステンレススチールは、酸化および汚染物質の形成を防止するため、クリーンな真空環境を促進する。さまざまな例において、クリーンな真空環境はドラグポンプを含む真空ポンプの動作を促進し、かつ、適当な真空圧力を維持する。
【００７４】
中間エンクロージャ９０４は内側エンクロージャ９０６を内包する。中間エンクロージャは内側シリンダ壁９３４を有する。内側エンクロージャ９１６の蓋が中間シリンダ９４４の端面と中間蓋との間でシールされるように、中間蓋９１４はシリンダの一端を閉じるように動作する。中間底９２４はシリンダの反対端を閉じる。中間エンクロージャは、例えば、鋼鉄および／または鋼鉄合金のような適当な真空シーリング材から形成されている。適当な材料の厚さは、使用される材料および、選択された設計の破損のシナリオ中に吸収されなければならないエネルギーを考慮して選択される。
【００７５】
内側および中間エンクロージャ９０６、９０４との間のギャップが示されているが、そのギャップにフィットするインターフェースおよび／または伝達化合物を有する。それにより一つの壁から他の壁へ熱伝導が可能になる。例えば、ステーターから放射される熱（例えば、図８の８２８）は内側エンクロージャ９３６の壁に伝達し、ギャップがなければ、中間エンクロージャ９３４の壁に熱伝導する。
【００７６】
外側エンクロージャ９０２は中間エンクロージャ９０４を内包する。外側エンクロージャは外側シリンダ壁９３２を有する。外蓋９１２はシリンダフランジ９４２を介してシリンダの一端を閉じるように動作し、外底９２２は反対端を閉じる。外側エンクロージャは、鋼鉄または鋼鉄合金のような適当な真空シーリング材から形成されている。
【００７７】
分流隔壁９０８は中間壁９３４と外側壁９３２との間の環状路を、内側および外側環状路に分割するための円筒形隔壁９３８を有する。円筒形隔壁の端部は、円筒形隔壁と中間シリンダ壁９３４、内蓋９１６、および／または中間蓋９１４のような隣接構造との間にシーリングを与えるための内側に向いたシールリング９４８を有する。ひとつ以上の冷媒排出コンジット９５８がシールリングを貫通し、内側環状空間９５１と流体的に係合するための手段を与える。隔壁は金属およびプラスチックのような適当な冷媒流路材料から形成される。実施形態において、隔壁は高密度のポリエチレンプラスチックまたは塩化ポリビニルプラスチックのようなプラスチックから形成される。
【００７８】
図９Ｂは、図９Ａの格納システムの断面の略示図である。内側壁９３６は中間壁９３４によって周りを覆われ、中間壁は外側壁９３２によって周りを覆われている。外側壁は隔壁９３８の周りに位置し、隔壁は中間壁９３４の周りに位置する。その結果、中間壁と外側壁との間の環状体が内側環状体９５１および外側環状体９５３に分割される。
【００７９】
図９Ｃは、組み立て後の図９Ａの格納システム９００Ｃを示す。ステーター１２０、ローター１１４、および、フライホイールマスを有するフライホイールの内部は省略してある。フライホール内部については図８を参照せよ。
【００８０】
フライホイールの動作中、熱は内側エンクロージャのフライホイール空間９８１内に解放される。さまざまな例において、この熱は冷媒（矢印で示す）および包囲体９８３の一方または両方に伝達される。冷媒が流路および冷却システムのどこかを通じて移動するに従い、熱は冷媒によって交互に吸収・放出される。
【００８１】
冷媒は、ステーターサポート環状流空間９９２を画定するステーターサポート中央キャビティ９９１内に挿入される冷媒吸入コンジット９８８を通じて格納システム９６０に流入する。流入コンジット９６２からの冷媒流は、環状流空間９６４を流れ、ステーターサポート壁９９３に伝達される熱を吸収する。ステーターサポート環状体９６６からの冷媒流は、外蓋９１２と中間蓋９１４との間の流体プレナム９６８に移送される。プレナム９７０を離れた流れは、外側環状体９５３に移送される。さまざまな例において、冷媒は外側エンクロージャ壁９３２をまたぐ熱伝達を介して包囲体９８３へ熱を放出する。外側環状体９５３からの流れ９７２は内側環状体９７４に移送される。さまざまな例において、冷媒は中間および内側エンクロージャ壁９３４、９３６をまたぐ熱伝達により熱を吸収する。内側環状体９５１からの冷媒の流れ９７６は冷媒排出コンジット９７８に伝達される。
【００８２】
動作中、電気機械式フライホイールのフライホイールマスは充電中に電動発電機により加速される。充電中、エネルギーは電動発電機に伝達される。放電中、フライホイールマスが減速されるに従い、電動発電機は、フライホイールの運動エネルギーを電気エネルギーに変換する。パワーエレクトロニクスは、電動発電機および機械的に結合されたフライホイールマスを回転させるために、ネットワーク電力の変換を与える。パワーエレクトロニクスはまた、電動発電機が生成した電力を、電力が伝送される電力ネットワークで使用するのに適した波形に変換する。
【００８３】
動作中、格納システムはシールドを与える。例えば、図９Ｃに示すように、格納システム９００Ｃは、フライホイールが故障した場合のシールド９０６を与える。さまざまな例において、真空バリアが内側エンクロージャ９０２によって与えられ、フライホイール空間９８１内の真空が維持される。冷媒流空間は外側エンクロージャ９０２により与えられる。冷媒流空間は、流路分割隔壁９０８により、内側および外側環状流路９５１、９５３に分割される。ステーターサポート９８７を流れる冷媒によって吸収される熱、および、内側環状流路内を流れる冷媒によって吸収される熱は、外側エンクロージャ壁９３２を通じて外部環境９８３へおよび流体からファンクーラー（図示せず）などを通じて格納システムの外部へ伝達される熱のいずれかまたは両方を通じて放出される。
【００８４】
本願発明のさまざまな実施形態を説明してきたが、これらは例示に過ぎず、発明を限定するものではない。発明の思想および態様から離れることなく、さまざまな修正および変更が可能であることは当業者の知るところである。本願発明の範囲および態様は、以下の特許請求の範囲の記載およびその均等の範囲において解釈されるべきである。
【先行技術文献】
【特許文献】
【００８５】
【特許文献１】米国特許第６，１７５，１７２号
【特許文献２】米国特許第５，４６２，４０２号
【国際調査報告】
2015503897.tif 000015
2015503897.tif 000016